(57)【要約】【課題】簡単な動作で筐体に対して容易に開閉ができ、かつ筐体に取付けられた状態で継続的に開状態を維持可能な開閉蓋装置を提供する。【解決手段】第２の筐体部材１０１ｂに対して開閉可能に設けられ、閉状態において、筐体部１０１ｂの開口部を覆う蓋部１２４と、第２の筐体部材１０１ｂに対して蓋部が離れる方向へトルクを付与するように蓋部１２４に取付けられたねじりコイルばね１２５とを備え、蓋部１２４は、第２の筐体部材１０１ｂに対して閉じた状態から、第２の筐体部材１０１ｂの第２の筐体部材１０１ｂの裏面１０１ｆから突出する方向へ移動する第１動作と、ねじりコイルばね１２５によってトルクが付与されることにより、第１動作後に蓋部１２４の一部が、裏面１０１ｆの垂直方向から見て裏面１０１ｆと重なる位置へ回動する第２動作と、により第２の筐体部材１０１ｂに対して開いた状態となる開閉構造を有する。【選択図】  図６
2004328471.tif 000002
【特許請求の範囲】
【請求項１】
開口部が設けられた第１の面及び前記第１の面に隣接する第２の面を有する筐体と、
前記開口部を覆うと共に開閉動作が可能な蓋部と、
前記筐体に対して前記蓋部が離れる方向にトルクを付与するねじりコイルばねとを備え、
前記筐体と前記蓋部とは、前記蓋部が、前記筐体に対して閉じた位置から、前記筐体の第２の面に対して突出した第１の位置に移動する第１の移動と、前記第１の位置から、前記蓋部の一部が前記第２の面の垂直方向から見て前記第２の面と重なる第２の位置に回動する第２の移動とが可能な構造を有しており、
前記ねじりコイルばねは、前記第２の移動時に、前記蓋部が前記第２の位置へ移動する方向にトルクを付与する位置に配置される開閉蓋装置。
【請求項２】
請求項１記載の開閉蓋装置であって、前記ねじりコイルばねはコイル部及び二つの腕部を有し、一方の腕部が前記蓋部に取付けられ、前記蓋部が、前記第２の移動において、前記第１の面及び前記第２の面に対して平行な方向を軸として回動する開閉蓋装置。
【請求項３】
請求項１または２記載の開閉蓋装置であって、前記開口部は前記第２の面に跨って形成され、前記蓋部は前記第１の面における前記開口部を覆う第１側面と前記第２の面における前記開口部を覆う第２側面部からなる略Ｌ字形状の外装部を有し、前記蓋部が第２の位置にあるとき、前記第２側面部の端部は、前記第２の面と当接する開閉蓋装置。
【請求項４】
請求項１乃至３のいずれか一項記載の開閉蓋装置であって、前記蓋部は回転軸部を有し、前記筐体は前記第１の移動の移動方向と平行な方向に設けられた回転軸保持部を有し、前記回転軸部は前記回転軸保持部に対して摺動可能に取付けられ、前記第２の移動において、前記回転軸部を中心として蓋部が回動する開閉蓋装置。
【請求項５】
請求項１乃至４のいずれか一項記載の開閉蓋装置であって、前記ねじりコイルばねの前記コイル部の中心は、前記第２の移動の回動軸軸心から離遠した位置で前記蓋部に保持される開閉蓋装置。
【請求項６】
請求項１乃至５のいずれか一項記載の開閉蓋装置であって、前記蓋部が第２の位置にあるとき、前記第１の面から露出するように筐体内部に設けられた収容部材を更に備え、前記収容部材は、前記蓋部が第２の位置にあるときに、当該収容部材と係合する係合部材とは前記第１の面側から着脱可能であり、前記蓋部は、前記係合部材の両側面より外側に配設した回動軸部を有し、前記第１の移動は前記係合部材が着脱される方向に対して直交方向へ行われ、前記第２の移動は前記回動軸部を回動軸心として行われる開閉蓋装置。
【請求項７】
請求項１乃至６のいずれか一項記載の開閉蓋装置であって、前記蓋部は、前記筐体に対して閉じられているときに前記第２の移動を抑制する抑制手段を更に備える開閉蓋装置。
【請求項８】
請求項７記載の開閉蓋装置であって、前記筐体は前記抑制手段を案内する案内手段を更に備える開閉蓋装置。
【請求項９】
請求項８記載の開閉蓋装置であって、前記蓋部が前記第１の移動がなされた場合に、前記抑制手段が前記案内手段から解除される開閉蓋装置。
【発明の詳細な説明】
【０００１】
【発明の属する技術分野】
本発明は、筐体に対して開閉可能に設けられる開閉蓋装置に関する。
【０００２】
【従来の技術】
従来の蓋構造として、例えば特許文献１に記載されたものがある。この従来例では、携帯端末（本体）に設けられた外部接続用の端子を覆い隠したり露呈させるように開閉可能な蓋（端子カバー）構造が記載されている。
【０００３】
図８は、従来の携帯端末の端子カバー周辺の構成を示す部分側面図であり、図８（ａ）は、端子カバーが閉じられた状態、図８（ｂ）は、端子カバーが本体から引き出された状態、図８（ｃ）は、図８（ｂ）に示された状態から端子カバーを屈曲させた状態である。また、図９は従来の携帯端末の端子カバーの開閉方法を示す部分上面図であり、図９（ａ）は端子カバーが本体に対して閉じられた状態、図９（ｂ）は端子カバーが本体から引き出された状態をそれぞれ筐体上方から見たものである。
【０００４】
図８において、端子カバー２０１は、本体２０２に取付けられた状態から矢印Ｐ方向へ引出し可能に装着されている。端子カバー２０１は、本体２０２に設けられた端子２０３（点線で示す）を覆い隠す蓋部２０４と、蓋部２０４を本体へ接続するための舌片部２０５とからなる。図８（ａ）に示すように端子２０３を覆い隠すように端子カバー２０１が本体２０２に取付けられた状態から、端子カバー２０１を矢印Ｐ方向へ引き出すと、図８（ｂ）に示す状態となる。図８（ｂ）の状態から蓋部２０４を矢印Ｑ方向に回動させ、舌片部２０５を弾性変形させると、端子２０３が露出して、プラグ２０６と端子２０３とが接続できるようになっている。このとき、図９（ａ）及び図９（ｂ）に示されたように、本体２０２と端子カバー２０１は、舌片部２０５が本体２０２の内部に設けられたボス２０８と嵌合することにより接続されている。また、端子カバー２０１の取付け及び取外しは、舌片部２０５に設けられた抜け止め部分２０６や開口２０７によって舌片部２０５を弾性変形させることにより可能となっている。すなわち、端子カバー２０１を本体２０２へ取付けた後でも、端子カバー２０１を破損させずに簡単に取外すことができるようになっている。
【０００５】
【特許文献１】
特開２００１−２１０９７２号公報
【０００６】
【発明が解決しようとする課題】
特許文献１記載の端子カバーでは、何度もプラグを装着する場合などに端子カバーを取外せる構成が提案されている。しかしながら、端子カバーを取外すことにより、筐体内部に設けられた端子への埃などの侵入を防止する機能を若干犠牲にしてしまうだけではなく、取外した端子カバーを紛失してしまうこともあった。
【０００７】
本発明は、上記事情を鑑みてなされたものであって、簡単な動作で筐体に対して容易に開閉ができ、かつ筐体に取付けられた状態で継続的に開状態を維持可能な開閉蓋装置を提供するものである。
【０００８】
【課題を解決するための手段】
本発明の第１の態様における開閉蓋装置は、開口部が設けられた第１の面及び前記第１の面に隣接する第２の面を有する筐体と、前記開口部を覆うと共に開閉動作が可能な蓋部と、前記筐体に対して前記蓋部が離れる方向にトルクを付与するねじりコイルばねとを備え、前記筐体と前記蓋部とは、前記蓋部が、前記筐体に対して閉じた位置から、前記筐体の第２の面に対して突出した第１の位置に移動する第１の移動と、前記第１の位置から、前記蓋部の一部が前記第２の面の垂直方向から見て前記第２の面と重なる第２の位置に回動する第２の移動とが可能な構造を有しており、前記ねじりコイルばねは、前記第２の移動時に、前記蓋部が前記第２の位置へ移動する方向にトルクを付与する位置に配置される。
【０００９】
この構成により、簡単な動作で蓋部の開閉が行えるようになっている。しかも、筐体に対して蓋部を開いた場合には、この開いた状態がコイルばねの作用により継続維持できる。
【００１０】
本発明の第２の態様における開閉蓋装置では、前記ねじりコイルばねはコイル部及び二つの腕部を有し、一方の腕部が前記蓋部に取付けられ、前記蓋部が、前記第２の移動において、前記第１の面及び前記第２の面に対して平行な方向を軸として回動する。
【００１１】
この構成により、簡単な動作で蓋部の開閉が行えるようになっている。さらに、不測の事態により筐体から蓋部が外れた場合でも、コイルばねは蓋部から分離されずに蓋部が外れるので、コイルばねを紛失してしまうことが無い。
【００１２】
本発明の第３の態様における開閉蓋装置では、前記開口部は前記第２の面に跨って形成され、前記蓋部は前記第１の面における前記開口部を覆う第１側面と前記第２の面における前記開口部を覆う第２側面部からなる略Ｌ字形状の外装部を有し、前記蓋部が第２の位置にあるとき、前記第２側面部の端部は、前記第２の面と当接する。
【００１３】
この構成により、筐体に対して蓋部を開いた場合において、コイルばねの作用、及び第２側面部の端部が前記第２の面と当接することにより、蓋部が開いた状態を継続維持することができる。
【００１４】
本発明の第４の態様における開閉蓋装置では、前記蓋部は回転軸部を有し、前記筐体は前記第１の移動の移動方向と平行な方向に設けられた回転軸保持部を有し、前記回転軸部は前記回転軸保持部に対して摺動可能に取付けられ、前記第２の移動において、前記回転軸部を中心として蓋部が回動する。
【００１５】
この構成により、簡単な動作で蓋部の開閉が行えるようになっている。
【００１６】
本発明の第５の態様における開閉蓋装置では、前記ねじりコイルばねの前記コイル部の中心は、前記第２の移動の回動軸軸心から離遠した位置で前記蓋部に保持される。
【００１７】
この構成により、蓋部の開閉角度よりねじりコイルばねのねじり角度の変化が小さくなり、ねじりコイルばねの発生応力を低減できるため、コイル部の小型化が可能となる。
【００１８】
本発明の第６の態様における開閉蓋装置では、前記蓋部が第２の位置にあるとき、前記第１の面から露出するように筐体内部に設けられた収容部材を更に備え、前記収容部材は、前記蓋部が第２の位置にあるときに、当該収容部材と係合する係合部材とは前記第１の面側から着脱可能であり、前記蓋部は、前記係合部材の両側面より外側に配設した回動軸部を有し、前記第１の移動は前記係合部材が着脱される方向に対して直交方向へ行われ、前記第２の移動は前記回動軸部を回動軸心として行われる。
【００１９】
この構成により、端子と係合した係合部材を取外す時に、開かれた蓋部による妨害を回避できる。
【００２０】
本発明の第７の態様における開閉蓋装置では、前記蓋部は、前記筐体に対して閉じられているときに前記第２の移動を抑制する抑制手段を更に備えたものである。
【００２１】
この構成により、例えば、筐体に対して蓋部を閉めている時は、回動が開始して開かれてしまうことが回避できる。
【００２２】
本発明の第８の態様における開閉蓋装置では、前記筐体は前記抑制手段を案内する案内手段を更に備えたものである。
【００２３】
この構成により、例えば、筐体に対して蓋部を閉めている時は、回動が開始して開かれてしまうことが回避できる。
【００２４】
本発明の第９の態様における開閉蓋装置では、前記蓋部が前記第１の移動がなされた場合に、前記抑制手段が前記案内手段から解除される。
【００２５】
この構成により、例えば、筐体に対して蓋部を閉めている時は、回動が開始して開かれてしまうことが回避できる。
【００２６】
【発明の実施の形態】
以下、本発明の実施の形態について図面を参照して説明する。なお、本実施の形態では、携帯情報端末装置の一種である折畳型携帯電話機を例に挙げて、開閉蓋装置の構成を説明する。
【００２７】
図１は、本発明が適用される折畳型携帯電話機の閉状態を示す外観図である。図２は、本発明が適用される折畳型携帯電話機の開状態を示す外観図である。図３は、本発明が適用される折畳型携帯電話機を充電台に載置させたときを示す断面図である。図４は、本発明が適用される折畳型携帯電話機の電気的構成を示すブロック図である。
【００２８】
図１及び図２に示すように、本実施形態の折畳型携帯電話機は、筐体１０１を有する。
【００２９】
筐体１０１は、第１筐体部材１０１ａおよび第２筐体部材１０１ｂを有して構成されており、これらがヒンジ部１０２を介して折畳み可能に連結され、ヒンジ部１０２の動作により開閉（図２の矢印Ａ方向及び反対方向）可能に構成されている。携帯時には、第１筐体部材１０１ａが第２筐体１０１ｂと隣接して対向するように閉じられた状態（図１に示す）で用いられる。使用時には、第１筐体部材１０１ａと第２筐体部材１０１ｂが開いた状態（図２に示す）で用いられる。
【００３０】
図１乃至図３に示すように、第１筐体部材１０１ａには、レシーバ１０６と、表示部１１１と、永久磁石１１２とが収容されている。第２筐体部材１０１ｂには、アンテナ１０３と、バイブレータ部１０４と、操作部１０５と、スピーカ１０７と、送話部（マイクロフォン）１０８と、カメラ部１０９と、ホール素子１１０と、Ｉ／Ｏコネクタ（インターフェース用コネクタ）１１３と、電池１１４と、プリント基板１１５とが収容されている。また、Ｉ／Ｏコネクタ１１３はプリント基板１１５の端部に設けられている。
【００３１】
Ｉ／Ｏコネクタ１１３は、無線信号系や、音声又は画像信号系用のデータ通信ケーブルなどの外部接続ケーブルが接続された接点プラグ（以下、Ｉ／Ｏプラグと記し、図５に示す）１２２と係合係合可能に構成され、他の機器（例えば、パソコンなど）と有線による信号の送受信ができるようになっている。また、Ｉ／Ｏコネクタ１１３は、第２筐体部材１０１ｂのヒンジ部１０２より遠方の端部近傍に配設されており、第２筐体部材１０１ｂに対して開閉可能に設けられた蓋部１２４に覆われている。この蓋部１２４を開くとＩ／Ｏコネクタ１１３が露出して、第２筐体部材１０１ｂの外部からＩ／Ｏプラグ１２２が着脱可能に装着できるようになっている。
【００３２】
レシーバ１０６は、筐体１０１を閉じた時に第２筐体部材１０１ｂと対面する第１筐体部材１０１ａの主面１０１ｃから音声が出力されるように、第１筐体部材１０１ａの内側に取付けられている。本実施形態の携帯電話機を通常の電話として使用する際に、レシーバ１０６から通信相手の音声が出力される。
【００３３】
表示部１１１は、第１筐体部材１０１ａの主面１０１ｃであって、レシーバ１０６よりヒンジ部１０２寄りに設けられている。この表示部１１１は液晶表示器等により構成することが可能であり、文字や記号、数字、画像、地図等を表示するものである。
【００３４】
プリント基板１１５には、送受信部１１６、データ変換部１１７、音声処理部１１８、画像処理部１１９、情報記録部１２０および制御部１２１が搭載されている。
【００３５】
バイブレータ部１０４はプリント基板１１５に載置され、着信時に起振することにより着信を振動で報知するものである。
【００３６】
操作部１０５は、第１操作部１０５ａ、第２操作部１０５ｂとを有している。第１操作部１０５ａは、筐体１０１が閉状態の際に第１筐体部材１０１ａの主面１０１ｃと対向する第２筐体部材１０１ｂの主面１０１ｄに設けられている。第２操作部１０５ｂは第２筐体部材１０１ｂの主面１０１ｄに隣接した左側面１０１ｅに設けられている。
【００３７】
使用者は、第１操作部１０５ａを操作して、受話や終話の操作、レシーバ１０６やスピーカ１０７から出力される音量の調節、文字や記号、数字の入力を行うことができる。第２操作部１０５ｂを操作して、カメラ部１０９を操作したりマナーモードへの切替えができる。
【００３８】
カメラ部１０９は、第２筐体部材１０１ｂの主面１０１ｄと反対側の裏面１０１ｆに、電池１１４と併設して設けられており、第１操作部１０５ａの後方方向の被写体が撮像可能になっている。
【００３９】
カメラ部１０９が捉えた被写体からの入射光は、レンズ群１０９ａを通過してＣＣＤ（電荷結合素子）などの光電変換素子１０９ｂにて光信号から電気信号に変換され、画像情報が生成される。
【００４０】
この画像情報は、画像処理部１１９にて処理された後、表示部１１１に画像を生成する。
【００４１】
図４に示すように、送受信部１１６は、アンテナ１０３に接続されており、このアンテナ１０３で受信したデータを処理する。送受信部１１６で処理されたデータは、制御部１２１を介してデータ変換部１１７に伝達される。
【００４２】
データ変換部１１７は、受信データを音声データに変換して音声処理部１１８に伝達するものである。
【００４３】
音声処理部１１８は、音声データを復号化して音声信号を生成した後、レシーバ１０６やスピーカ１０７に伝達するものである。レシーバ１０６やスピーカ１０７では、音声処理部１１８から伝達された音声信号に対応する音声を出力するものである。
【００４４】
また、音声処理部１１８は、マイクロフォン１０８が受けた音声を符号化して音声データを生成した後、データ変換部１１７に伝達する。
【００４５】
データ変換部１１７は、伝達された音声データを通信データに変換する。変換された音声データである通信データは、制御部１２１を介して送受信部１１６に送出される。送受信部１１６は、受け取った通信データを処理し、アンテナ１０３から無線信号の電波として送信する。
【００４６】
カメラ部１０９と表示部１１１は画像処理部１１９に接続されており、画像処理部１１９はカメラ部１０９や制御部１２１から送られた画像情報を、表示部１１１に表示するための画像処理を行う。
【００４７】
レシーバ１０６、スピーカ１０７およびマイクロフォン１０８は、音声処理部１１８に接続されており、音声処理部１１８はデータ変換部１１７に接続されている。
【００４８】
また、制御部１２１は、バイブレータ部１０４、操作部１０５、ホール素子１１０、Ｉ／Ｏコネクタ１１３、送受信部１１６、データ変換部１１７、画像処理部１１９および情報記録部１２０に接続され、これらの構成要素の制御を行う。また、Ｉ／Ｏコネクタ１１３にはＩ／Ｏプラグ１２２が差込まれて係合することで、制御部１２１と接続される。さらに、制御部１２１は電池１１４にも接続されている。
【００４９】
Ｉ／Ｏコネクタ１１３の両端側には正・負極用の充電端子１１３ａ、１１３ｂ（図５に図示）が設けられている。家庭用電源に接続された充電台１２３に第２筐体部材１０１ｂを載置すると、これら充電端子１１３ａ、１１３ｂは充電台１２３に設けられた一対の充電用ターミナル１２３ａと夫々当接し、電源は充電用ターミナル１２３ａ、充電端子１１３ａ及び１１３ｂ、Ｉ／Ｏコネクタ１１３を経由してプリント基板１１５に供給される。電池１１４が満充電でない場合、制御部１２１の中の充電回路部（図示せず）を介して、電池１１４に電源を供給する。なお、家庭用電源に接続されたＩ／Ｏプラグ１２２を経由して携帯電話機に電源を供給してもよい。この場合、上記家庭用電源とＩ／Ｏプラグ１２２との間には図示しないＡＣアダプタが設けられ、このＡＣアダプタによって交流電源が直流電源に変換される。
【００５０】
カメラ部１０９により撮影された画像情報は、所定の操作をすると情報記録部１２０に記録される。
【００５１】
情報記録部１２０は、カメラ部１０９により撮影された画像情報の他にも、電話番号情報や音声情報、撮像した画像の画像情報以外の画像情報（受信した画像情報等）、作成中または送受信したメール等の文字情報を記録することができる。
【００５２】
ホール素子１１０は、筐体１０１が閉状態のときには永久磁石１１２と対向するように、第２筐体部材１０１ｂに設けられている。
【００５３】
筐体１０１が閉状態では、永久磁石１１２がホール素子１１０に近接するため、ホール素子１１０が永久磁石１１２を検出して制御部１２１に検出信号を与える。
【００５４】
また、筐体１０１が開状態であれば、永久磁石１１２がホール素子１１０から離隔される。ホール素子１１０は永久磁石１１２を検出できないため、ホール素子１１０は検出信号を生成しない。
【００５５】
即ち、ホール素子１１０が永久磁石１１２を検出すると筐体１０１は閉状態であり、検出できなければ開状態である。制御部１２１は、ホール素子１１０の検出信号によって筐体１０１の開閉状態を認識できる。
【００５６】
上述のように構成された本実施形態の折畳型携帯電話機にあっては、開状態では使用者がレシーバ１０６近傍に耳を当てて使用する。この開状態では、レシーバ１０６とマイクロフォン１０８との間隔が最大となるため、筐体１０１を手に持ちレシーバ１０６近傍を耳に当てて通話すると口の近傍にマイクロフォン１０８が近づくので、明瞭な音声が聞くことができ、送話も確実となる。またこの開状態では、手に持ってハンズフリーで通話したり、メールを読んだり或いはメールを作成するために文字入力をする時にも用いられる。閉状態では小さく折り畳まれ、投影面積が最小となるので、携帯性に好適となる。
【００５７】
次に、蓋部及びその取付け構造について詳述する。
【００５８】
図５は、本発明の実施形態に係る折畳型携帯電話機に用いる蓋部近傍の分解斜視図である。図６は、本発明の実施形態に係る折畳型携帯電話機に用いる蓋部近傍の構成及び動作を示す側断面図並びに、ねじりコイルばねのねじり角度を示す図であり、（ａ）は係止状態（閉じられた状態）、（ｂ）は係止解除状態、（ｃ）は開放状態（開いた状態）、（ｄ）は係止状態におけるねじり角度、（ｅ）は係止解除状態におけるねじり角度、（ｆ）は開放状態におけるねじり角度を示している。
【００５９】
図５乃至図６において、第２筐体部材１０１ｂは主面側ケース１０１ｇと裏面側ケース１０１ｈとを有して構成される。蓋部１２４の内面側には、ねじりコイルばね１２５が設けられている。
【００６０】
第２筐体部材１０１ｂには、第２筐体部材１０１ｂの内部と外部を連通するための開口部が設けられている。開口部は、筐体部材において、少なくとも、Ｉ／Ｏコネクタ１１３が外部接続を行うための面に設けられればよい。この開口部として、本実施形態では図５に示すように、ヒンジ部と反対側であり第２筐体部材の主面１０１ｇ及び裏面１０１ｆに隣接した側面（下側面）１０１ｊの一部、及び第２筐体部材の裏面１０１ｆの一部に、それぞれ連続する開口部が設けられた場合を例にとって説明する。
【００６１】
蓋部１２４は、第１側面部１２４ａとそれに隣接する第２側面部１２４ｂとからなる略Ｌ字の形状であり、第１側面部１２４ａには２つの開口穴１２６を有する。開口穴１２６は、第２筐体部材１０１ｂに対して蓋部１２４が閉じられている時、前述の充電端子１１３ａ、１１３ｂが露見されるように設けられている。蓋部１２４は、筐体１０１に対して閉じられている状態において、第１側面部１２４ａ及び第２側面部１２４ｂがそれぞれ第２筐体部材１０１ｂに設けられた切欠き部に位置するように取付けられる。
【００６２】
また、蓋部１２４が筐体１０１に対して閉じられている状態において、第１側面部１２４ａと第２筐体部材１０１ｂの下側面１０１ｊが、また、第２側面部１２４ｂと第２筐体部材１０１ｂの裏面１０１ｆが同一平面に位置するように位置するように取付けられる。すなわち、蓋部１２４の第１側面部１２４ａは、第２筐体部材１０１ｂの下側面１０１ｊの一部を形成し、蓋部１２４の第２側面部１２４ｂは、第２筐体部材１０１ｂの裏面１０１ｆの一部を形成するように、蓋部１２４は第２筐体部材１０１ｂの二つの側面１０１ｆ、１０１ｊに跨るように形成されている。
【００６３】
第１側面部１２４ａの裏面（開いた時に露呈する面）には、円筒部１２７（図５に点線で図示）、平行溝部１２８、係止突起部１２９が設けられる。第１側面部１２４ａの両端には、アーム部１３０と抑制手段の一例として、突起部１３１が設けられ、アーム部１３０の湾曲部分における先端側には、円筒状の回動軸部１３２が形成されている。円筒部１２７は、ねじりコイルばね１２５を保持するものであり、第１側面部１２４ａ及び第２側面部１２４ｂに対して平行に設けられる。平行溝部１２８は、第１側面部１２４ａの裏面に、第２側面部１２４ｂと平行に形成されている。しかしながら、必ずしも第２側面部１２４と並行である必要はなく、第２側面部と平行な方向に対して任意の角度、例えば９０°を有していてもよい。係止突起部１２９は、第一側面部１２４ａの裏面において、第二側面部１２４ｂと反対側の端部に設けられる。アーム部１３０は、第１側面部１２４ａの裏面から第１側面部１２４と垂直方向に形成され、その先端部は、第２側面部１２４ｂに向かって湾曲して形成されている。突起部１３１は、アーム部１３０より第１側面部１２４ａと平行に第１側面部１２４ａの端部方向に向かって立設している。回動軸部１３２は、アーム部１３０の湾曲部分から、第１側面部１２４ａ及び第２側面部１２４ｂと平行に、第１側面部１２４ａの端部方向に向かって形成されている。
【００６４】
ねじりコイルばね１２５は、コイル部１２５ａと一方の腕部１２５ｂ、他方の腕部１２５ｃを有する。コイル部１２５ａの中空部分には円筒部１２７が挿通される。腕部１２５ｂは平行溝部１２８の間に収容されて第１側面部１２４ａの裏面を付勢し、腕部１２５ｃは裏面側ケース１０１ｈに形成されたばね用壁１３３を付勢するように、ねじりコイルばね１２５のコイルが巻込む方向に負荷がかけられるように取付けられる。係止突起部１２９は、第２筐体部材１０１ｂに対して蓋部１２４が閉じられた時に、主面側ケース１０１ｇに設けられた係止爪１３４と係合する。突起部１３１は、第２筐体部材１０１ｂに対して蓋部１２４が閉じられている時、裏面側ケース１０１ｈに設けられた案内手段の一例としての案内溝部１３５に案内される。回動軸部１３２は、裏面側ケース１０１ｈに形成された回転軸保持部の一例としての摺動溝部１３６に摺動可能に取付けられる。なお、図５では、平行溝部１２８が見えるように、局部的に破断図示してある。
【００６５】
次に、蓋部の開閉動作について説明する。図６（ａ）に示すように、第２筐体部材１０１ｂに対して蓋部１２４が閉じられた状態を、蓋部の第１の所定位置とする。この第１の所定位置では、回動軸部１３２が摺動溝部１３６上方に位置し、さらに係止突起部１２９は係止爪１３４と係合している。図示はしないが突起部１３１は案内溝部１３５に案内されている。ねじりコイルばね１２５はコイルが巻込む方向に負荷をかけられるように取付けられている。従って、ねじりコイルばね１２５は巻戻す方向にトルクを発生しているため、蓋部１２４は、回動軸部１３２の軸心を中心に第２筐体部材１０１ｂに対して開かれる方向へトルクが付与される。しかしながら、突起部１３１は案内溝部１３５に案内された状態なので、蓋部１２４の回動が抑制される。
【００６６】
この第１の所定位置から、蓋部１２４を下方向（矢印Ｂ方向）に移動させた状態を図６（ｂ）に示し、この動作を第１動作とする。図６（ｂ）に示すように、蓋部１２４が下方向（第２筐体部材１０１ｂの下側面１０１ｊに向けて）に押し下げられると、回動軸部１３２は摺動溝部１３６に沿って下方向に移動する。この第１動作が完了した状態を蓋部１２４の第２の所定位置とする。この第１動作時、第１側面部１２４ａは、突起部１３１が案内溝部１３５に案内された状態が継続しつつ、係止突起部１２９が係止爪１３４を乗り越えることができるように矢印Ｃ方向へ撓み、通過すると撓みが無くなって係合が解除される。この乗り越え動作時、蓋部１２４の移動力に変曲点が付与されることで、使用者はクリック感を得ることができる。係止突起部１２９の乗り越えが終了（係合が解除される）すると、突起部１３１が案内溝部１３５から脱出する。
【００６７】
第２の所定位置から、蓋部１２４が矢印Ｃ方向へ回動し、蓋部１２４が筐体１０１に対して、Ｉ／Ｏコネクタ１１３が露呈するように開かれた状態を図６（ｃ）に示す。図６（ｃ）に示された蓋部１２４の位置を蓋部１２４の第三の所定位置とする。また、第２の所定位置から第３の所定位置への動作を第２動作とする。第２の所定位置において、使用者が蓋部１２４に触れていなければ、ねじりコイルばねには巻戻す方向にトルクが作用しているので、蓋部１２４は回動軸部１３２の軸心を中心に矢印Ｃ方向への回動を開始する。そして、蓋部１２４の第１側面部１２４ａの一部及び第２側面部１２４ｂが、裏面側ケース１０１ｈの裏面１０１ｆと重なる位置へ動作する。蓋部１２４の第２側面部１２４ｂの稜部１２４ｃが第２筐体部材１０１ｂの裏面１０１ｆと当接して第２動作が終了し、Ｉ／Ｏコネクタ１１３が矢印Ｄ方向側へ露呈するように開放された（開かれた）状態となる。
【００６８】
第１から第３の所定位置の間では、蓋部１２４及び筐体１０１に対して、ねじりコイルばね１２５は、コイルが巻戻される方向へ若干のねじり力が作用するように設けられているので、蓋部１２４の自重による微動が回避されている。
【００６９】
第２の所定位置から第３の所定位置に変化する時、ねじりコイルばね１２５のコイル部１２５ａの中心は回動軸部１３２軸心から離遠しており（不一致）、さらに、腕部１２５ｃはばね用壁１３３の外形に沿って移動できるように設けているので、蓋部１２４の開閉角度よりねじりコイルばね１２５における変化したねじり角度が小さい。
【００７０】
ここで、ねじりコイルばねについて詳述する。ねじりコイルばねに発生する曲げ応力は、ねじれ角度とは比例関係、コイル部の巻き数とは反比例の関係にあるため、設計時には許容応力を超えないようなねじれ角度や巻き数に設定しなければならない。回動軸部軸心とコイル部軸心が一致するように設けていれば、蓋部の開閉角度とねじりコイルばねの変化するねじり角度とは等しくなる。このときに発生する曲げ応力は、前述したように不一致になるように設けた場合に比べて大きくなってしまう。発生応力を小さくするために、ねじれ角を小さくするとＩ／Ｏコネクタ１１３を露呈させることができず、コイル部の巻き数を多くするとコイル部が長くなり装置の小型化に不適となるといった課題を有する。
【００７１】
図６（ｄ）から（ｆ）に、各々の所定位置におけるねじりコイルばね１２５の腕部１２５ｂと腕部１２５ｃが成す角度の例を示す。図６（ｄ）に示すように、第１の所定位置では１１０°、図６（ｅ）に示すように第２の所定位置では５４°、図６（ｆ）に示すように第３の所定位置では７３°である。従って、第１から第３の所定位置におけるねじれ角度の変化は、第１の所定位置での角度と第２の所定位置での角度との差分であり、５６°となる。これに対し、蓋部１２４は第２筐体部材１０１ｂに対し、７０°開かれる。従って、蓋部１２４の開閉角度よりねじりコイルばね１２５のねじれ角度の変化が小さいのは明らかである。
【００７２】
従って、ねじりコイルばね１２５のコイル部１２５ａ中心を回動軸部１３２の軸心と不一致にすることで、発生応力の低減ができ、コイル部１２５ａの小型化を図っている。
【００７３】
以上、蓋部の動作についてまとめる。開閉可能な蓋部１２４は、第２筐体部材１０１ｂに対して閉じられた第１の所定位置では、ねじりコイルばね１２４のねじり力が蓋部１２４及び第２筐体部材１０１ｂに対して作用しているが、突起部１３１が案内溝部１３６に案内された状態なので開かない（回動しない）ようになっている。次に、蓋部１２４を開けるために使用者が第２の所定位置へ移動させると、係止突起１２９が係止爪１３４を乗り越えることでクリック発生し、クリック後には突起部１３１が案内溝部１３５から脱出する。蓋部１２４から指を離すと、ねじりコイルばね１２４のねじり力により蓋部１２４にトルクを付与しているので、蓋部１２４は回動軸部１３２の軸心を中心に回動して、裏面側ケース１０１ｈと重なる第３の所定位置となり、開く動作が完了する。
【００７４】
図５に示すように、摺動溝部１３６は、二つの壁部によって形成されている。この内の片方の壁部は、第２筐体部材の裏面１０１ｆ側が蓋部１２４から見て凹んでいる。即ち、第２筐体部材１０１ｂの下側面１０１ｊから見て、摺動溝部１３６と重なる回転軸部１３２の厚みは、第１の所定位置より、第２及び第３の所定位置にある場合の方が少ない。従って、回動軸部１３２を保持する摺動溝部１３６の片方の壁部１３６ｂによる保持量は、第１の所定位置より第２及び第３の所定位置の方が小さくなっている。この構成により、第２或いは第３の所定位置において、蓋部１２４に外力が加わった場合、蓋部１２４が矢印Ｃ方向に抜けやすくなる。
【００７５】
第２或いは第３の所定位置において、使用者が誤って落下させてしまった場合、アーム部１３０の僅かな撓みによって摺動溝部１３６による保持が解除され、回動軸部１３２は案内溝部１３５の下側を通過し、蓋部１２４は第２筐体部材１０１ｂから外れる。すなわち、蓋部１２４の損壊が回避できるようになっている。外れた蓋部１２４にはねじりコイルばね１２５が保持されているので、ねじりコイルばね１２５の損壊、紛失も回避できる。外れてしまった蓋部１２４は、回動軸部１３２を先頭に、矢印Ｄとは反対方向に押しこむだけで第２筐体部材１０１ｂに組み付けることができる。すなわち、専用工場での作業を必要とせず、使用者が簡単に復旧できるので、メンテナンス性を向上させている。
【００７６】
蓋部を閉じる場合は、前述の開く動作を逆に行えば良い。
【００７７】
次に、上述したＩ／Ｏプラグについて、図５を用いて説明する。
【００７８】
図５において、Ｉ／Ｏプラグ１２２は、接続コード１３７の一端に設けられＩ／Ｏコネクタ１１３に接続される接続本体部１３８と、この接続コード１３７の他端に設けられ携帯プリンタ等他の情報機器に接続されるピンプラグ（図示せず）等から構成されている。接続本体部１３８は略直方体であり、一端面１３９にはＩ／Ｏコネクタ１１３に装着される接続部１４０を有し、反対面１４１には接続コード１３７が接続されている。２つの両側面１４２、１４３には、Ｉ／Ｏコネクタ１１３と係合するための係合爪１４４と、押しボタン部１４５が設けられている。係合爪１４４は押しボタン部１４５と連動し、押しボタン部１４５が押されることにより、突出爪１４４が接続本体部１３８の内部へ収容される。このようなＩ／Ｏプラグ１２２は、前述した筐体１０１に対して蓋部１２４を開いた状態にし、露出したＩ／Ｏコネクタ１１３に差込むと、突出爪１４４がＩ／Ｏコネクタ１１３と係合し、Ｉ／Ｏプラグ１２２を引くだけでは外れないように係合される。
【００７９】
Ｉ／Ｏプラグ１２２がＩ／Ｏコネクタ１１３に差込まれて係合している状態では、図５に示すように、使用者は親指１４６と人差し指１４７とで夫々押しボタン部１４５を押すと、係合が解除される。係合が解除されていれば、Ｉ／Ｏコネクタ１１３からの分離ができる。すなわち、Ｉ／Ｏプラグ１２２はＩ／Ｏコネクタ１１３に対して着脱可能になっている。また、このようなＩ／Ｏプラグとして、例えば実用新案登録第３０７６０４５号に記載の接続コードを用いてもよい。
【００８０】
ここで、開かれた蓋部１２４は、第２筐体部材１０１ｂの裏面１０１ｆ側に移動しているので、上述の押しボタン部１４５を押す操作を妨げないようになっている。蓋部１２４が上述した開き方向とは直交する方向に回動するようにすると、開かれた蓋部１２４は押圧操作をする親指１４６または人差し指１４７と触れてしまうため、抜去動作が阻害される。従って、上述したように、抜去動作を行うための操作方向と異なる方向に蓋部１２４が回動し、蓋部１２４の一部が第二筐体部材１０１ｂの裏面１０１ｆと重なるようにしたので、着脱操作が容易に行えるようになっている。
【００８１】
次に、上述した充電台について、図３を用いて説明する。
【００８２】
図３において、充電台１２３は、本実施形態の折畳型携帯電話機を収容する収容部１４８と、収容部１４８の側面に一対の充電用ターミナル１２３ａが設けられている。充電台１２３に本実施形態の折畳型携帯電話機を載置すると、充電用ターミナル１２３ａが開口穴１２６を通り、一対の充電端子１１３ａ、１１３ｂを付勢する。このように、充電用ターミナル１２３ａと充電端子１１３ａ、１１３ｂが当接することで電気的に接続される。
【００８３】
すなわち、本実施形態で詳述した折畳型携帯電話機は、蓋部１２４を開放せずに収容部１４８に収容、載置するだけで、充電ができるようになっている。
【００８４】
次に、図１乃至図６とともに図７を参照して、本実施形態の折畳型携帯電話機の動作について説明する。
【００８５】
図７は、本発明が適用される折畳型携帯電話機におけるモード別の機能の例を説明するための説明図である。
【００８６】
図７において、本実施形態の折畳型携帯電話機に電源が投入された状態では、音声通信モード５０１が開始され、操作部１０５を操作することでモード切替を実行し、非音声通信モード５０２またはカメラモード５０３で各機能の操作が行えるように構成されている。
【００８７】
音声通信モード５０１では、音声および非音声通信の受信待受動作を開始し、着信動作や発信動作を行うことで通信相手と通話をすることができる。
【００８８】
受信待受状態において、筐体１０１が開状態であれば、表示部１１１には時刻、電池残容量や電界強度を表すマーク等が表示される。筐体１０１が閉状態であれば、何も表示されない。
【００８９】
音声通信を着信した場合には、筐体１０１が何れの態様であってもスピーカ１０７から着信を報知する呼出し音が出力される。また、マナーモードに設定されている時はバイブレータ部１０４が作動する。そして、表示情報は相手の発信情報（電話番号等）、或いは着信したことを報知する文字（例えば「チャクシン」）等の着信情報に切替わる。尚、筐体１０１が閉状態の場合は、開状態にすることにより、表示情報が切替わる。
【００９０】
音声通信を着信後、開状態において、第１操作部１０５ａを操作すると、受話が開始される。音声通信を終話する時は、第１操作部１０５ａで所定の操作を行うか、あるいは、開状態から閉状態にすると、終話し、再び、受信待受状態となる。
【００９１】
非音声通信モード５０２では、受信待受状態を維持しながら、着信した非音声通信データ（メールなどの文字情報）や、第１操作部１０５ａにより入力した文字情報を表示部１１１に表示させることができる。更に、送信機能を用いて相手に文字情報や情報記録部１２０に保存された音声、非音声（画像等）情報を送信することができる。
【００９２】
メールなどの非音声情報を着信した時には、表示部１１１に着信を報知するメッセージが表示される。
【００９３】
開状態において、所定の操作によって、例えば、メールを開くなど、着信した文字情報や画像情報などの非音声情報を表示部１１１に表示することができる。
【００９４】
カメラモード５０３においては、閉状態および開状態でカメラ部１０９による撮影が行える。
【００９５】
撮影した撮像画像は静止画または動画として情報記録部１２０に記録できる。情報記録部１２０に記録された動画や静止画像は、筐体１０１を開状態にし、所定の操作を行って、撮影した撮像画像を表示部１１１に再生表示させて見ることができる。
【００９６】
Ｉ／Ｏコネクタ１１３にＩ／Ｏプラグ１２２を接続する時は、前述した第１、第２動作によって蓋部１２４を開くことでＩ／Ｏコネクタ１１３が露出し、装着することができる。押しボタン部１４５を操作すると、Ｉ／Ｏコネクタ１１３と分離できる。Ｉ／Ｏプラグ１２２をＩ／Ｏコネクタ１１３から抜去後は、蓋部１２４を開く動作の逆の順に動作を行うことで、閉じることができる。
【００９７】
折畳型携帯電話機に装着された電池１１４を充電するときは、蓋部１２４が閉じられた状態で充電台１２３に載置することで充電できる。
【００９８】
本実施形態では、Ｉ／Ｏコネクタを覆うように開閉可能な蓋として説明したが、本発明はこれに限られたものではない。他の態様としては、例えば、イヤホンが装着されるコネクタや着脱可能な電池を覆う蓋、ＳＤカードなどのメモリカードが装着されるコネクタを覆うような蓋として設けても良い。すなわち、筐体外部から筐体内部へ挿通する部品を通過させるために、筐体に設けた開口部を塞ぐ開閉蓋であれば、その開口部を通過する部品或いは開閉蓋が覆う部品は何であっても構わない。従って、必ずしも上述した折畳型携帯電話機に限らず、棒状やスライド型、回転型携帯電話機、携帯情報端末装置（ＰＤＡ）や他の電子装置に用いても良い。
【００９９】
本実施形態の折畳型携帯電話機によれば、筐体に設けた開口部に開閉可能な開閉蓋を簡単な構成で設けることができる。この開閉蓋は、簡単な動作で閉じた状態や開いた状態にすることができる。しかも、開いた状態が継続維持されるようになっているので、開口部の中に収容された部品に対して、筐体外部から別部品が容易に装着できる。さらに、開いた状態で、開閉蓋に力が加わった場合、筐体から容易に外れるようになっているので、使用者が誤って落下させてしまうなど不測の事態によって外れてしまっても容易に復旧できるので、メンテナンス性を向上させている。仮に開閉蓋を破損させてしまっても、部品購入後、使用者自ら復旧できるので、筐体を専用組立工場への返品の必要がない。
【０１００】
【発明の効果】
以上説明したように、本発明に係る開閉蓋装置によれば、簡単な動作で筐体に対して容易に開閉ができ、かつ筐体に取付けられた状態で継続的に開状態を維持が可能となる。
【図面の簡単な説明】
【図１】本発明が適用される一例としての折畳型携帯電話機の閉状態を示す外観図
【図２】本発明が適用される折畳型携帯電話機の開状態を示す外観図
【図３】本発明が適用される折畳型携帯電話機を充電台に載置させたときを示す断面図
【図４】本発明が適用される折畳型携帯電話機の電気的構成を示すブロック図
【図５】本発明の実施形態に係る折畳型携帯電話機に用いる蓋部近傍の分解斜視図
【図６】本発明の実施形態に係る折畳型携帯電話機に用いる蓋部近傍の構成及び動作を示す側断面図並びにねじりコイルばねのねじり角度を示す図
（ａ）  係止状態（閉じられた状態）
（ｂ）  係止解除状態
（ｃ）  開放状態（開いた状態）
（ｄ）  係止状態におけるねじりコイルばねのねじり角度
（ｅ）  係止解除状態におけるねじりコイルばねのねじり角度
（ｆ）  開放状態におけるねじりコイルばねのねじり角度
【図７】本発明が適用される折畳型携帯電話機のモード別の機能を説明するための説明図
【図８】従来の携帯端末の端子カバー周辺の構成を示す部分側面図
（ａ）  端子カバーが閉じられた状態
（ｂ）  引き出された状態
（ｃ）  （ｂ）の状態から端子カバーを屈曲させた状態
【図９】従来の携帯端末の端子カバーの開閉方法を示す部分上面図
（ａ）  端子カバーが閉じられた状態
（ｂ）  引き出された状態
【符号の説明】
１０１  筐体
１０１ａ  第１筐体部材
１０１ｂ  第２筐体部材
１０１ｃ  第１筐体部材の主面
１０１ｄ  第２筐体部材の主面
１０１ｅ  第２筐体部材の左側面
１０１ｆ  第２筐体部材の裏面
１０１ｇ  主面側ケース
１０１ｈ  裏面側ケース
１０１ｊ  第２筐体部材１０１ｂの下側面
１１３  Ｉ／Ｏコネクタ
１１３ａ  Ｉ／Ｏコネクタの正極用の充電端子
１１３ｂ  Ｉ／Ｏコネクタの負極用の充電端子
１２２  Ｉ／Ｏプラグ
１２３  充電台
１２３ａ  充電用ターミナル
１２４  蓋部
１２４ａ  第１側面部
１２４ｂ  第２側面部
１２５  ねじりコイルばね
１２５ａ  コイル部
１２５ｂ  ねじりコイルばねの一方の腕部
１２５ｃ  ねじりコイルばねの他方の腕部
１２６  開口穴
１２７  円筒部
１２８  平行溝部
１２９  係止突起部
１３０  アーム部
１３１  突起部
１３２  回動軸部
１３３  ばね用壁
１３４  係止爪
１３５  案内溝部
１３６  摺動溝部
１３７  接続コード
１３８  接続本体部
１３９  接続本体部の一側面
１４０  接続部
１４１  接続本体部の一側面の反対面
１４２、１４３  両端面
１４４  突出爪
１４５  押しボタン部
１４６  親指
１４７  人差し指
１４８  収容部
【図１】
2004328471.tif 000003
【図２】
2004328471.tif 000004
【図３】
2004328471.tif 000005
【図４】
2004328471.tif 000006
【図５】
2004328471.tif 000007
【図６】
2004328471.tif 000008
【図７】
2004328471.tif 000009
【図８】
2004328471.tif 000010
【図９】
2004328471.tif 000011